(57)【特許請求の範囲】
【請求項１】
公衆データ通信回線に接続されているコマーシャル・案内等の情報を有する情報提供サーバから提供される文字及び画像データを含む情報データを該公衆データ通信回線に接続されたコンピュータサーバと該コンピュータサーバに電話や無線を含む公衆回線を介して接続されている携帯小型ユーザ端末（以下、ユーザ端末と記す）とで取得し、該ユーザ端末に表示するプッシュ形サービスを行う情報提供サービス方法において、
各情報提供サーバにおいて、情報データを該データの詳細内容と目次に分けて保持し、
前記ユーザ端末の近辺に設置されている情報提供サーバから前記ユーザ端末へ前記目次項目のみを伝送し、
前記ユーザ端末において、前記目次項目から選択した目次をコンピュータサーバに送信することにより詳細情報の提供を要求し、
前記コンピュータサーバにおいて、前記ユーザ端末から指定された目次に対応する詳細内容を前記公衆データ通信回線を介して前記情報提供サーバからダウンロードし、
前記コンピュータサーバにおいて、ダウンロードされた前記詳細内容に基づいて画面表示用データを生成し、前記ユーザ端末に伝送することを特徴とする情報提供サービス方法。
【請求項２】
公衆データ通信回線に接続されているコマーシャル・案内等の情報を有する情報提供サーバから提供される文字及び画像データを含む情報データを、該公衆データ通信回線に接続されるコンピュータサーバに電話や無線を含む公衆回線を介して接続されている携帯小型ユーザ端末（以下、ユーザ端末と記す）とで取得し、表示するプッシュ形サービスを行う情報提供サービス方法において、
前記ユーザ端末において、
前記情報提供サーバに、キーワードと前記コンピュータサーバのアドレスを送信し、
前記情報提供サーバは、前記キーワードに基づいて詳細情報を検索して、前記コンピュータサーバのアドレスに送信し、
前記コンピュータサーバにおいて、前記情報提供サーバから取得した前記詳細情報から画面表示用データを生成し、前記ユーザ端末に伝送することを特徴とする情報提供サービス方法。
【請求項３】
公衆データ通信回線と、該公衆データ通信回線に接続されているコマーシャル・案内等の情報を有する情報提供サーバと、該情報提供サーバから提供される文字及び画像データを含む情報データを取得し、表示する携帯小型ユーザ端末（以下、ユーザ端末と記す）から構成されプッシュ形サービスを行う情報提供サービスシステムであって、
各情報提供サーバは、
情報データを該データの詳細情報と目次に分けて保持する情報保持手段と、
前記ユーザ端末へ前記情報保持手段に保持されている前記目次のみを転送する目次転送手段と、
要求された目次項目に応じて前記情報保持手段に格納されている前記詳細情報をコンピュータサーバに転送するデータ転送手段とを有し、
前記ユーザ端末は、
前記目次転送手段により取得した目次から所望の目次項目を選択し、詳細情報の提供を要求する提供要求手段を有し、
前記ユーザ端末の提供要求手段における要求に基づいて、前記情報提供サーバからユーザにより選択された目次に対応する詳細情報を取得する情報取得手段と、
前記情報取得手段により取得した前記詳細情報を画面表示用データとして編集し、前記ユーザ端末に転送する伝送情報編集手段とを有するコンピュータサーバを有することを特徴とする情報提供サービスシステム。
【請求項４】
公衆データ通信回線と、該公衆データ通信回線に接続されているコマーシャル・案内等の情報を有する情報提供サーバと、該情報提供サーバから提供される文字及び画像データを含む情報データを取得し、表示する携帯小型ユーザ端末（以下、ユーザ端末と記す）から構成されプッシュ形サービスを行う情報提供サービスシステムであって、
前記ユーザ端末は、
前記コンピュータサーバのアドレスと、キーワードとを前記情報提供サーバに送信するキーワード送信手段を有し、
前記情報提供サーバは、
情報データを該データの詳細情報と目次に分けて保持する情報保持手段と、
前記キーワード送信手段により送信された前記キーワードに基づいて前記情報保持手段から対応する詳細情報を抽出し、前記コンピュータサーバのアドレスに送信する情報検索手段を有し、
前記情報提供サーバから取得した前記詳細情報から画面表示用データを生成し、前記ユーザ端末に転送する伝送情報編集手段とを有するコンピュータサーバを更に有することを特徴とする情報提供サービスシステム。
【請求項５】
公衆データ通信回線と、該公衆データ通信回線に接続されているコマーシャル・案内等の情報を有し、携帯小型ユーザ端末（以下、ユーザ端末）に情報を提供する情報提供サーバであって、
情報データを該データの詳細情報と目次に分けて保持する情報保持手段と、
前記情報保持手段に保持されている前記目次のみを前記ユーザ端末に転送する目次転送手段と、
要求された目次項目に応じて前記情報保持手段に格納されている情報を、前記ユーザ端末に画面表示用データを転送する機能を有するコンピュータサーバにダウンロードする情報提供手段とを有することを特徴とする情報提供サーバ。
【請求項６】
前記ユーザ端末から情報提供のためのキーワードと、コンピュータサーバのアドレスを取得した場合に、該キーワードに対応する詳細情報を前記情報保持手段から抽出して、前記コンピュータサーバに転送する情報転送手段を更に有する請求項５記載の情報提供サーバ。
【請求項７】
公衆データ通信回線と、該公衆データ通信回線に接続されているコマーシャル・案内等の情報を有する情報提供サーバと、該情報提供サーバから提供される画像データを取得し、表示する携帯小型ユーザ端末（以下、ユーザ端末と記す）から構成されプッシュ形サービスを行う情報提供サービスプログラムを格納した記憶媒体であって、
各情報提供サーバにインストールされる、
情報データを該データの詳細情報と目次に分けて保持する情報保持手段に保持されている目次のみを前記ユーザ端末に転送させる目次転送プロセスと、
要求された目次項目に応じて前記情報保持手段に格納されている前記詳細情報を、前記ユーザ端末に画面表示用データを転送する機能を有するコンピュータサーバにダウンロードする情報提供プロセスとを有することを特徴とする情報提供サービスプログラムを格納した記憶媒体。
【請求項８】
前記ユーザ端末からのキーワードとコンピュータサーバのアドレスを取得し、該キーワードに基づいて前記情報保持手段に保持されている詳細情報を検索し、前記コンピュータサーバに送信させる検索プロセスを更に有する請求項７記載の情報提供サービスプログラムを格納した記憶媒体。
【請求項９】
公衆データ通信回線と、該公衆データ通信回線に接続されているコマーシャル・案内等の情報を有する情報提供サーバと、該情報提供サーバから提供される画像データを取得し、表示する携帯小型ユーザ端末（以下、ユーザ端末と記す）から構成されプッシュ形サービスを行う情報提供サービスプログラムを格納した記憶媒体であって、
前記ユーザ端末にインストールされる、
前記情報提供サーバから取得した目次から所望の目次項目を選択する目次選択プロセスと、
前記目次選択プロセスにより選択された前記目次項目に対応する詳細情報の提供を、前記ユーザ端末に画面表示用データを転送する機能を有するコンピュータサーバに要求する提供要求プロセスとを有することを特徴とする情報提供サービスプログラムを格納した記憶媒体。
【請求項１０】
前記情報提供サーバにキーワードとコンピュータサーバのアドレスを送信するキーワード・アドレス送信手段を更に有する請求項９記載の情報提供プログラムを格納した記憶媒体。
【請求項１１】
公衆データ通信回線と、該公衆データ通信回線に接続されているコマーシャル・案内等の情報を有する情報提供サーバと、該情報提供サーバから提供される画像データを取得し、表示する携帯小型ユーザ端末（以下、ユーザ端末と記す）から構成されプッシュ形サービスを行う情報提供サービスプログラムを格納した記憶媒体であって、
前記ユーザ端末から転送された目次に基づいて、前記情報提供サーバから詳細情報のダウンロードを行い、前記ユーザ端末に画面表示用データを提供するコンピュータサーバにインストールされる、
前記情報提供サーバから前記目次に対応する詳細情報を取得する情報取得プロセスと、
前記情報取得プロセスにより取得した詳細情報を画面表示用データとして編集する画像データ編集プロセスと、
前記画像データ編集プロセスにより編集された前記画像データを前記ユーザ端末に転送する転送プロセスとを有することを特徴とする情報提供サービスプログラムを格納した記憶媒体。
【発明の詳細な説明】
【０００１】
【発明の属する技術分野】
本発明は、情報提供サービス方法及びシステム及び情報提供サーバ及び情報提供サービスプログラムを格納した記憶媒体に係り、特に、プッシュ形情報配信サービスを小型携帯ユーザ端末で実現するための情報提供サービス方法及びシステム及び情報提供サーバ及び情報提供サービスプログラムを格納した記憶媒体に関する。
【０００２】
詳しくは、現在普及している携帯小型ユーザ端末（ハンディタイプのコンピュータと携帯電話機等の組み合わせからなる装置）から情報提供サーバに接続して、情報の提供を受ける場合における情報提供サービス方法及びシステム及び情報提供サーバ及び情報提供サービスプログラムを格納した記憶媒体に関する。
【０００３】
【従来の技術】
図９は、従来のプッシュ形情報提供サービスシステムを説明するための図である。同図に示すシステムは、情報提供サーバ１０、公衆データ通信回線２０及びユーザ端末３０から構成され、ユーザが欲しい情報のキーワードを情報提供サーバ１０に登録しておくことにより、その分野の情報をユーザ端末３０に自動的に送信するサービスである。
【０００４】
【発明が解決しようとする課題】
しかしながら、上記の従来のプッシュ形情報提供サービスは、街角や公共施設に設置され、不特定多数のユーザに情報を提供する情報提供サーバと持込み可能な小型携帯ユーザ端末の間でこのサービスを行おうとすると、転送される情報のデータ量が多いため、低速なデータ通信機能しか実現できない小型携帯ユーザ端末では、データのダウンロードのための時間が非常に長くなる欠点がある。
【０００５】
また、小型携帯ユーザ端末では、大きなデータ記憶媒体をもつことができないため、全ての情報を受け取れない欠点もある。
更に、小型携帯ユーザ端末ではデータ処理能力が小さいため、受け取ったデータを迅速に処理し、表示することができないという問題もある。
本発明は、上記の点に鑑みなされたもので、プッシュ形サービスを情報提供サーバと持ち運び可能な小型携帯ユーザ端末で行う場合の情報の提供を、大容量の記憶資源を有するコンピュータサーバを用いて、受け取った全てのデータを迅速にユーザ側に表示することが可能な情報提供サービス方法及びシステム及び情報提供サーバ及び情報提供サービスプログラムを格納した記憶媒体を提供することを目的とする。
【０００６】
【課題を解決するための手段】
図１は、本発明の原理を説明するための図である。
本発明（請求項１）は、公衆データ通信回線に接続されているコマーシャル・案内等の情報を有する情報提供サーバから提供される文字及び画像データを含む情報データを該公衆データ通信回線に接続されたコンピュータサーバと該コンピュータサーバに電話や無線を含む公衆回線を介して接続されているユーザ端末とで取得し、該ユーザ端末に表示するプッシュ形サービスを行う情報提供サービス方法において、
各情報提供サーバにおいて、情報データを該データの詳細内容と目次に分けて保持し（ステップ１）、
ユーザ端末の近辺に設置されている情報提供サーバからユーザ端末へ目次項目のみを伝送し（ステップ２）、
ユーザ端末において、目次項目から選択した目次をコンピュータサーバに送信することにより詳細情報の提供を要求し（ステップ３）、
コンピュータサーバにおいて、ユーザ端末から指定された目次に対応する詳細内容を公衆データ通信回線を介して情報提供サーバからダウンロードし（ステップ４）、
コンピュータサーバにおいて、ダウンロードされた詳細内容に基づいて画面表示用データを生成し（ステップ５）、ユーザ端末に伝送する（ステップ６）。
【０００７】
本発明（請求項２）は、公衆データ通信回線に接続されているコマーシャル・案内等の情報を有する情報提供サーバから提供される文字及び画像データを含む情報データを、該公衆データ通信回線に接続されるコンピュータサーバに電話や無線を含む公衆回線を介して接続されているユーザ端末とで取得し、表示するプッシュ形サービスを行う情報提供サービス方法において、
ユーザ端末において、
情報提供サーバに、キーワードとコンピュータサーバのアドレスを送信し、
情報提供サーバは、キーワードに基づいて詳細情報を検索して、コンピュータサーバのアドレスに送信し、
コンピュータサーバにおいて、情報提供サーバから取得した詳細情報から画面表示用データを生成し、ユーザ端末に伝送する。
【０００８】
図２は、本発明の原理構成図である。
本発明（請求項３）は、公衆データ通信回線２０と、該公衆データ通信回線２０に接続されているコマーシャル・案内等の情報を有する情報提供サーバ１０と、該情報提供サーバ１０から提供される文字及び画像データを含む情報データを取得し、表示するユーザ端末４０から構成されプッシュ形サービスを行う情報提供サービスシステムであって、
各情報提供サーバ１０は、
情報データを該データの詳細情報と目次に分けて保持する情報保持手段１１と、
ユーザ端末へ情報保持手段に保持されている目次のみを転送する目次転送手段１２と、
要求された目次項目に応じて情報保持手段に格納されている詳細情報をコンピュータサーバに転送するデータ転送手段１３とを有し、
ユーザ端末４０は、
目次転送手段により取得した目次から所望の目次項目を選択し、詳細情報の提供を要求する提供要求手段４１を有し、
ユーザ端末４０の提供要求手段４１における要求に基づいて、情報提供サーバからユーザにより選択された目次に対応する詳細情報を取得する情報取得手段５１と、
情報取得手段５１により取得した詳細情報を画面表示用データとして編集し、ユーザ端末に転送する伝送情報編集手段５２とを有するコンピュータサーバ５０を有する。
【０００９】
本発明（請求項４）は、公衆データ通信回線と、該公衆データ通信回線に接続されているコマーシャル・案内等の情報を有する情報提供サーバと、該情報提供サーバから提供される文字及び画像データを含む情報データを取得し、表示するユーザ端末から構成されプッシュ形サービスを行う情報提供サービスシステムであって、
ユーザ端末は、
コンピュータサーバのアドレスと、キーワードとを情報提供サーバに送信するキーワード送信手段を有し、
情報提供サーバは、
情報データを該データの詳細情報と目次に分けて保持する情報保持手段と、
キーワード送信手段により送信されたキーワードに基づいて情報保持手段から対応する詳細情報を抽出し、コンピュータサーバのアドレスに送信する情報検索手段を有し、
情報提供サーバから取得した詳細情報から画面表示用データを生成し、ユーザ端末に転送する伝送情報編集手段とを有するコンピュータサーバを更に有する。
【００１０】
本発明（請求項５）は、公衆データ通信回線と、該公衆データ通信回線に接続されているコマーシャル・案内等の情報を有し、ユーザ端末に情報を提供する情報提供サーバであって、
情報データを該データの詳細情報と目次に分けて保持する情報保持手段と、
情報保持手段に保持されている目次のみをユーザ端末に転送する目次転送手段と、
要求された目次項目に応じて情報保持手段に格納されている情報を、ユーザ端末に画面表示用データを転送する機能を有するコンピュータサーバにダウンロードする情報提供手段とを有する。
【００１１】
本発明（請求項６）は、ユーザ端末から情報提供のためのキーワードと、コンピュータサーバのアドレスを取得した場合に、該キーワードに対応する詳細情報を情報保持手段から抽出して、コンピュータサーバに転送する情報転送手段を更に有する。
本発明（請求項７）は、公衆データ通信回線と、該公衆データ通信回線に接続されているコマーシャル・案内等の情報を有する情報提供サーバと、該情報提供サーバから提供される画像データを取得し、表示するユーザ端末から構成されプッシュ形サービスを行う情報提供サービスプログラムを格納した記憶媒体であって、
各情報提供サーバにインストールされる、
情報データを該データの詳細情報と目次に分けて保持する情報保持手段に保持されている目次のみをユーザ端末に転送させる目次転送プロセスと、
要求された目次項目に応じて情報保持手段に格納されている詳細情報を、ユーザ端末に画面表示用データを転送する機能を有するコンピュータサーバにダウンロードする情報提供プロセスとを有する。
【００１２】
本発明（請求項８）は、ユーザ端末からのキーワードとコンピュータサーバのアドレスを取得し、該キーワードに基づいて情報保持手段に保持されている詳細情報を検索し、コンピュータサーバに送信させる検索プロセスを更に有する。
本発明（請求項９）は、公衆データ通信回線と、該公衆データ通信回線に接続されているコマーシャル・案内等の情報を有する情報提供サーバと、該情報提供サーバから提供される画像データを取得し、表示するユーザ端末から構成されプッシュ形サービスを行う情報提供サービスプログラムを格納した記憶媒体であって、
ユーザ端末にインストールされる、
情報提供サーバから取得した目次から所望の目次項目を選択する目次選択プロセスと、
目次選択プロセスにより選択された目次項目に対応する詳細情報の提供を、ユーザ端末に画面表示用データを転送する機能を有するコンピュータサーバに要求する提供要求プロセスとを有する。
【００１３】
本発明（請求項１０）は、情報提供サーバにキーワードとコンピュータサーバのアドレスを送信するキーワード・アドレス送信手段を更に有する。
本発明（請求項１１）は、公衆データ通信回線と、該公衆データ通信回線に接続されているコマーシャル・案内等の情報を有する情報提供サーバと、該情報提供サーバから提供される画像データを取得し、表示するユーザ端末から構成されプッシュ形サービスを行う情報提供サービスプログラムを格納した記憶媒体であって、
ユーザ端末から転送された目次に基づいて、情報提供サーバから詳細情報のダウンロードを行い、ユーザ端末に画面表示用データを提供するコンピュータサーバにインストールされる、
情報提供サーバから目次に対応する詳細情報を取得する情報取得プロセスと、
情報取得プロセスにより取得した詳細情報を画面表示用データとして編集する画像データ編集プロセスと、
画像データ編集プロセスにより編集された画像データをユーザ端末に転送する転送プロセスとを有する。
【００１４】
上記のように、本発明では、情報提供サーバから携帯小型ユーザ端末へのデータのダウンロードはデータ量の少ない目次のみでよく、当該目次をユーザ端末からコンピュータサーバに送信することにより、コンピュータサーバがユーザ端末に代わって情報提供サーバから詳細情報を取得し、画像データに編集し、ユーザ端末に提供するため、通信速度が遅いユーザ端末で短時間で目次のみを受け取り、後で、コンピュータサーバから詳細な情報を受け取ることが可能となる。
【００１５】
また、情報提供サーバからユーザ端末に対して目次のみを常時転送することにより、ユーザ端末では、情報提供サーバに目次の転送要求を発行する必要がなく、単に情報提供サーバから提供されている目次を用いてコンピュータサーバに当該目次に対応する情報を要求するという容易な操作のみを行えばよい。
さらに、本発では、ユーザ端末から情報提供サーバに、コンピュータサーバのアドレスと、欲しい情報のキーワードを送信することにより、ユーザ端末では目次を保持するための記憶資源を必要とせず、コンピュータサーバを介して欲しい情報を取得することが可能となる。
【００１６】
【発明の実施の形態】
図３は、本発明の情報提供サービスシステムの構成を示す。同図に示す情報提供サービスシステムは、ＯＣＮインターネット、イーサネット等の公衆データ通信回線２０に接続され、コマーシャル・案内等の情報を有し、街角や公共施設に設置される情報提供サーバ１０、公衆データ通信回線２０に接続され、事業者が所有するコンピュータサーバ５０及びコンピュータサーバ５０から画像データを電話等の公衆回線６０を介して受け取り表示すると共に、情報提供サーバ１０から情報データを受け取るユーザが所有するユーザ端末４０から構成される。
【００１７】
図４は、本発明の情報提供サービスシステムの第１の詳細な構成を示す。
同図に示す情報提供サーバ１０は、情報保持部１１、目次転送部１２、ダウンロード部１３から構成される。情報保持部１１は、提供情報の詳細情報と目次項目を関連付けて保持する。目次転送部１２は、ユーザ端末４０に対して情報保持部１１から目次項目のみを読み出して、コンピュータサーバ５０に送信する。ダウンロード部１３は、コンピュータサーバ５０から情報提供要求が発行された場合に、情報保持部１１から詳細情報を読み出してコンピュータサーバ５０に提供する。
【００１８】
ユーザ端末４０は、入力部４２と表示部４３を有し、入力部４２は、情報提供を要求する際に目次の指定入力を受け付ける。表示部４３は、情報提供サーバ１０やコンピュータサーバ５０から提供された情報を表示する。提供要求部４１は、入力部４２から入力された目次選択項目をコンピュータサーバ５０に転送する。
【００１９】
コンピュータサーバ５０は、情報取得部５１と伝送情報編集部５２を有し、情報取得部５１は、ユーザ端末４０が選択した目次項目や、情報提供サーバ１０からダウンロードされる情報を取得する。伝送情報編集部５２は、情報提供サーバ１０からダウンロードされた情報に基づいてユーザ端末４０に表示するための画像データを生成し、ユーザ端末４０に転送する。
【００２０】
図５は、本発明の情報提供サービスシステムにおける動作を示すシーケンスチャートである。
ステップ１０１）  情報提供サーバ１０は、情報データをデータ量の大きな詳細内容と、データ量の小さな目次に分けて情報保持部１１に保持する。
ステップ１０２）  ユーザ端末４０の近辺に設置されている情報提供サーバ１０の目次転送部１２は、目次を常時、当該ユーザ端末４０に伝送する。
【００２１】
ステップ１０３）  ユーザ端末４０は、ディスプレイに情報提供サーバ１０から伝送された目次を表示部４３に表示する。
ステップ１０４）  ユーザ端末４０の利用者は、表示されている目次から希望するものを選択し、入力部４２から入力する。
ステップ１０５）  ユーザ端末４０の提供要求部４１は、選択した目次をコンピュータサーバ５０に送信する。
【００２２】
ステップ１０６）  コンピュータサーバ５０の情報取得部５１は、ユーザ端末４０から取得した目次に対応する詳細情報を情報提供サーバ１０に要求する。  ステップ１０７）  これにより、情報提供サーバ１０のダウンロード部１３は、目次に対応する詳細情報を情報保持部１１から抽出してコンピュータサーバ５０にダウンロードする。
【００２３】
ステップ１０８）  コンピュータサーバ５０の伝送情報編集部５２は、情報提供サーバ１０からダウンロードされた詳細情報を画面表示用データとして編集する。例えば、情報データがテキスト情報であれば、当該テキスト情報を画面に表示可能な状態に編集する。また、テキスト情報と画像データからなる場合には、各テーマ別に１つの画面として編集を行う等の処理が考えられる。
【００２４】
ステップ１０９）  ステップ１０８で編集された画面表示用データをユーザ端末４０に送信する。
次に、他の情報提供サービスシステムについて説明する。
この情報提供サービスは、ユーザ端末からコンピュータサーバのアドレスと欲しい情報のキーワードを近辺の情報提供サーバに発信し、当該ユーザ端末を携帯している利用者が当該情報提供サーバの近辺を通った際に、コンピュータサーバのアドレスとキーワードを受信し、情報提供サーバにおいて、当該キーワードに対応する情報をコンピュータサーバに送信し、コンピュータサーバからユーザ端末が情報を取得する場合である。
【００２５】
図６は、本発明の他の情報提供サービスシステムの構成を示す。
同図に示す構成は、図３に示した構成と同様であるが、ユーザ端末４０から、コンピュータサーバ５０のアドレスと、所望の情報のキーワードを情報提供サーバ１０に送信すると、以降、情報提供サーバ１０とコンピュータサーバ５０間において情報のダウンロードやユーザ端末４０に対する情報提供が行われるものである。
【００２６】
図７は、本発明の他の情報サービスシステムの第２の詳細な構成を示す。
同図において、情報提供サーバ１０は、ユーザ端末４０から取得したコンピュータサーバ５０のアドレスと、キーワードを取得するアドレス・キーワード取得部１４を有する。さらに、情報提供サーバ１０は、情報保持部１１において目次と詳細情報とを分けて蓄積しておくことはなく、キーワードと詳細情報から構成される情報を保持するものとする。
【００２７】
ユーザ端末４０の提供要求部４１は、入力部４２から入力されたコンピュータサーバ５０のアドレスと希望する情報のキーワードを情報提供サーバ１０に送信する。
コンピュータサーバ５０において図４と異なる点は、情報取得部５１において、ユーザ端末４０から目次項目を受け取らずに、情報提供サーバ１０から直接、詳細情報を取得し、伝送情報編集部５２に転送することである。
【００２８】
図８は、本発明の他の情報提供サービスシステムにおける第２の動作を示すシーケンスチャートである。
ステップ２０１）  ユーザ端末４０は、無線により情報提供サーバ１０にアクセスし、コンピュータサーバ５０のアドレスと希望する情報のキーワードを情報提供要求として発行する。
【００２９】
ステップ２０２）  情報提供サーバ１０のアドレス・キーワード取得部１４において、ユーザ端末４０からコンピュータサーバ５０のアドレスとキーワードを取得すると、当該キーワードに対応する情報を検索する。
ステップ２０３）  ダウンロード部１３は、キーワードに基づいて検索された情報を取得したコンピュータサーバ５０のアドレスにダウンロードする。
【００３０】
ステップ２０４）  コンピュータサーバ５０の情報取得部５１は、情報提供サーバ１０から取得した情報を、ユーザ端末４０において表示可能な画面表示用データに編集する。
ステップ２０５）  コンピュータサーバ５０からユーザ端末４０に対して画面表示用データを送信する。
【００３１】
これにより、ユーザ端末４０は、コンピュータサーバ５０からデータ処理後の画面表示用データを受け取り、それを表示部４３に表示する。
また、上記の例は、図４及び図７の構成に基づいて説明したが、この例に限定されることなく、情報提供サーバ１０の目次転送部１２、アドレス・キーワード取得部１４、ダウンロード部１３、コンピュータサーバ５０の情報取得部５１や伝送情報編集部５２及びユーザ端末４０の提供要求部４１をプログラムとして構築し、各コンピュータに接続されるディスク装置や、フロッピーディスクやＣＤ−ＲＯＭ等の可搬記憶媒体に格納しておき、適宜インストールすることにより、本発明が容易に実現できる。
【００３２】
なお、本発明は、上記の例に限定されることなく、特許請求の範囲内で種々変更・応用が可能である。
【００３３】
【発明の効果】
上述のように、本発明によれば、情報提供サーバから携帯小型ユーザ端末へのデータのダウンロードは、データ量の少ない目次のみでよく、通信速度が遅い携帯小型ユーザ端末でも短時間で情報を受け取ることができる。このため、電波によるデータ通信を行うと情報提供サーバの近辺を通るだけで携帯小型ユーザ端末への目次データを伝送することができる。
【００３４】
また、データ量が少ないため、携帯小型ユーザ端末は、ＲＡＭ等の小さなデータ記憶媒体だけ持てばよく、携帯小型ユーザ端末の小型化、低電力化が可能となる。
さらに、詳細情報は記憶容量の大きな大型ディスク装置を有するコンピュータサーバに伝送され、残されるため、多くの情報を残しておいて後でゆっくり携帯小型ユーザ端末で読むといったことが、能力・記憶容量の劣る携帯小型ユーザ端末で可能となる。
【００３５】
また、このシステムの場合、携帯小型ユーザ端末は、情報提供サーバから目次情報データを受け取るだけでよく、携帯小型ユーザ端末から情報提供サーバへ何の影響も与えないため、携帯小型ユーザ端末と情報提供サーバの間を電波を用いて通信する場合、携帯小型ユーザ端末は発信機能を有する必要性がなく、さらなる小型化が可能となると共に、ユーザ情報のセキュリティに優れている。
【００３６】
また、本発明では、携帯小型ユーザ端末から情報提供サーバへコンピュータサーバのアドレスと欲しい情報のキーワードを発信するため、携帯小型ユーザ端末は、情報提供サーバからのデータ（目次項目）のダウンロードは必要なく、情報提供サーバからのデータの受信装置及びデータ記憶媒体を必要としない。また、携帯小型ユーザ端末の一層の小型化、低電力化が可能となる。
【図面の簡単な説明】
【図１】本発明の原理を説明するための図である。
【図２】本発明の原理構成図である。
【図３】本発明の情報提供サービスシステムの構成図である。
【図４】本発明の情報提供サービスシステムの第１の詳細な構成図である。
【図５】本発明の情報提供サービスシステムにおける第１の動作を示すシーケンスチャートである。
【図６】本発明の他の情報提供サービスシステムの構成図である。
【図７】本発明の情報提供サービスシステムの第２の詳細な構成図である。
【図８】本発明の他の情報提供サービスシステムにおける第２の動作を示すシーケンスチャートである。
【図９】従来のプッシュ形情報提供サービスイステムを説明するための図である。
【符号の説明】
１０  情報提供サーバ
１１  情報保持手段，情報保持部
１２  目次転送手段、目次転送部
１３  データ転送手段、ダウンロード部
１４  アドレス・キーワード取得部
２０  公衆データ通信回線
４０  ユーザ端末
４１  提供要求手段、提供要求部
４２  入力部
４３  表示部
５０  コンピュータサーバ
５１  情報取得手段、情報取得部
５２  伝送情報編集手段、伝送情報編集部
【図１】
0003555415.tif 000002
【図２】
0003555415.tif 000003
【図３】
0003555415.tif 000004
【図４】
0003555415.tif 000005
【図５】
0003555415.tif 000006
【図６】
0003555415.tif 000007
【図７】
0003555415.tif 000008
【図８】
0003555415.tif 000009
【図９】
0003555415.tif 000010